(57)【特許請求の範囲】
【請求項１】
複数の回転リール及びこれら複数の回転リールを回転可能に支持する回転リール支持部材を有するリールユニットと、
正面に形成された開口部内に前記リールユニットを収納する筐形の本体キャビネットとを有する遊技機であって、
前記リールユニットの両側上部に、リールユニット当接部、ラッチ装置、及び、握持部がそれぞれ設けられ、
前記本体キャビネットの両側の内壁に、前記リールユニット当接部が上方から当接することにより、前記リールユニットを支持し、係合孔を有する本体キャビネット当接部がそれぞれ設けられ、
前記ラッチ装置は、前記本体キャビネット当接部の前記係合孔に対応する位置に配され、前記リールユニットを前記本体キャビネットに対して収納方向において固定すべく前記係合孔に向かって下方に突出する突出部を備え、
前記握持部は、前記突出部の前記突出する方向に対して反対側に設けられた
ことを特徴とする遊技機。
【請求項２】
複数の回転リール及びこれら複数の回転リールを回転可能に支持する回転リール支持部材を有するリールユニットと、
正面に形成された開口部内に前記リールユニットを収納する筐形の本体キャビネットとを有する遊技機であって、
前記リールユニットの両側上部に、リールユニット当接部、ラッチ装置、及び、握持部がそれぞれ設けられ、
前記本体キャビネットの両側の内壁に、前記リールユニット当接部が上方から当接することにより、前記リールユニットを支持する本体キャビネット当接部がそれぞれ設けられ、
前記ラッチ装置は、前記リールユニットを前記本体キャビネットに対して収納方向において固定するように構成され、
前記握持部は、前記ラッチ装置の上方位置、かつ、前記握持部と前記本体キャビネットの天井との間に空間が形成されるような位置に形成された、
ことを特徴とする遊技機。
【請求項３】
前記係合孔は、前記本体キャビネット当接部において、前記開口部近傍に設けられたことを特徴とする請求項１に記載の遊技機。
【請求項４】
前記ラッチ装置は、前記リールユニット当接部の前端部に設けられ、前記突出部を前記ラッチ装置から出没するための操作部を有し、
前記リールユニット当接部の前端部は、前記ラッチ装置を前方、上方、及び、下方から覆うように形成された前方部材、上方部材、及び、下方部材を有し、
前記操作部は、前記前方部材に設けられた貫通穴を通って前方へ突出するように形成されたことを特徴とする請求項１又は請求項３に記載の遊技機。
【請求項５】
前記ラッチ装置は、軸状に形成されたガイドピンと、前記軸の方向と直交する方向であり、前記リールユニットを収納するときの収納方向に前記ガイドピンの両端部をそれぞれ案内する両側壁と、前記収納方向に対して直交する突出方向に前記両側壁により案内され、前記収納方向及び前記突出方向に対して傾斜する傾斜溝を有する突出片と、該突出片を前記突出方向に付勢する第１の付勢バネと、前記操作部を前方へ付勢する第２の付勢バネを有し、
前記突出部は、前記突出片の突出方向の先端縁に形成され、
前記操作部は、前記第２の付勢バネの付勢力に抗して前記ガイドピンを後方へ押入し、前記ガイドピンにより前記傾斜溝を押し上げて、前記突出片を前記突出方向とは反対の方向に没入させたことを特徴とする請求項１、請求項３又は請求項４の何れかに記載の遊技機。
【請求項６】
前記ラッチ装置は、さらに、前記両側壁の間の隙間に嵌め込まれるように装着されるプレートを有し、
前記操作部は、前記プレートの両脇を通って前記ガイドピンを臨む位置に延ばされた先端片を有し、前記ガイドピンを押入する方向に前記両側壁により案内され、
前記第２の付勢バネは、前記操作部と前記プレートとの間に圧縮された状態で設けられたことを特徴とする請求項４又は請求項５に記載の遊技機。
【請求項７】
前記ガイドピンは、前記操作部の前記先端片に装着され、
前記操作部は、前記ガイドピンにより前記押入する方向とは反対方向に抜け止めされたことを特徴とする請求項６に記載の遊技機。
【発明の詳細な説明】
【技術分野】
【０００１】
本発明は、スロットマシン等の遊技機に関するものである。
【背景技術】
【０００２】
従来より、スロットマシン等の遊技機は、正面側に開口する筐形の本体キャビネットと、その本体キャビネットの開口部を開閉自在に塞ぐ前扉とからなり、前記本体キャビネットの内部には、リールユニット、ホッパーユニット及び遊技を司る基板等が固定設置されていた。
【０００３】
しかし、上記の従来のスロットマシンにおいては、遊技内容を変更するための台交換の際、遊技を担当しないホッパーユニット等も同時に交換されることとなり、台交換に要する費用がかかるだけでなく、資源の無駄となっていたという問題があった。
【０００４】
そこで、上記問題点を解決するために、リールユニットと主基板を設置した交換ユニットを本体キャビネット内部に着脱容易となるよう構成し、遊技内容を変更する際には、前記リールユニットのみを交換し、本体キャビネットやホッパーユニットはそのまま再利用するという「分離型スロットマシン」が開示されている（例えば、特許文献１及び特許文献２）
【０００５】
特許文献１及び特許文献２に記載の「分離型スロットマシン」では、交換可能なリールユニットの固定手段として本体キャビネットに直接ネジ止めするような固定手段ではなく、交換作業を考慮し、固定解除容易な固定手段を設けることを提案している。なお、特許文献１と特許文献２との異なる点は、本体キャビネットにリールユニットを収納するにあたって、リールユニットを載置するように収納するか（特許文献１）、リールユニットを吊り下げるようにして収納するか（特許文献２）である。
【０００６】
【特許文献１】特開２００３−２６５６８０号公報（段落〔００８５〕−〔０１１５〕、第１３図）
【特許文献２】特開２００３−３３４２７９号公報（段落〔００９１〕−〔０１２９〕、第１３図）
【発明の開示】
【発明が解決しようとする課題】
【０００７】
しかしながら、特許文献１及び特許文献２に例示されている固定手段は、交換ユニットの左右に固定されているフック部と、本体キャビネットの内部の左右側面に固定されている固定装置とからなる大型の固定手段を支持部（交換ユニットが支持部材に支持される箇所）とは別箇所に設けてある（特許文献１の図１５、図１６及び段落番号〔０１１６〕を参照）。
【０００８】
従って、前記固定手段と前記支持部とが離れた箇所に設置されていることにより、本体キャビネットに対してリールユニットを取り付ける際には、リールユニットを本体キャビネット内に挿入した後に、前記固定手段によりリールユニットを本体キャビネットに固定するといった２つの工程を要するので、リールユニットの取り付け工程が煩わしいという問題があった。
【０００９】
本発明は、以上の問題点に鑑みてなされたものであって、その目的は、リールユニットの取り付け工程が容易となる遊技機を提供することにある。
【課題を解決するための手段】
【００１０】
上記課題を解決するための、請求項１記載の発明に係る遊技機は、複数の回転リール及びこれら複数の回転リールを回転可能に支持する回転リール支持部材を有するリールユニットと、正面に形成された開口部内に前記リールユニットを収納する筐形の本体キャビネットとを有する遊技機であって、前記リールユニットの両側上部に、リールユニット当接部、ラッチ装置、及び、握持部がそれぞれ設けられ、前記本体キャビネットの両側の内壁に、前記リールユニット当接部が上方から当接することにより、前記リールユニットを支持し、係合孔を有する本体キャビネット当接部がそれぞれ設けられ、前記ラッチ装置は、前記本体キャビネット当接部の前記係合孔に対応する位置に配され、前記リールユニットを前記本体キャビネットに対して収納方向において固定すべく前記係合孔に向かって下方に突出する突出部を備え、前記握持部は、前記突出部の前記突出する方向に対して反対側に設けられたことを特徴とする。
【００１２】
上記課題を解決するための、請求項２記載の発明に係る遊技機は、複数の回転リール及びこれら複数の回転リールを回転可能に支持する回転リール支持部材を有するリールユニットと、正面に形成された開口部内に前記リールユニットを収納する筐形の本体キャビネットとを有する遊技機であって、前記リールユニットの両側上部に、リールユニット当接部、ラッチ装置、及び、握持部がそれぞれ設けられ、前記本体キャビネットの両側の内壁に、前記リールユニット当接部が上方から当接することにより、前記リールユニットを支持する本体キャビネット当接部がそれぞれ設けられ、前記ラッチ装置は、前記リールユニットを前記本体キャビネットに対して収納方向において固定するように構成され、前記握持部は、前記ラッチ装置の上方位置、かつ、前記握持部と前記本体キャビネットの天井との間に空間が形成されるような位置に形成された、ことを特徴とする。
【００１３】
上記課題を解決するための、請求項３記載の発明に係る遊技機は、請求項１に記載の遊技機において、前記係合孔は、前記本体キャビネット当接部において、前記開口部近傍に設けられたことを特徴とする。
【００１５】
上記課題を解決するための、請求項４記載の発明に係る遊技機は、請求項１又は請求項３に記載の遊技機において、前記ラッチ装置は、前記リールユニット当接部の前端部に設けられ、前記突出部を前記ラッチ装置から出没するための操作部を有し、前記リールユニット当接部の前端部は、前記ラッチ装置を前方、上方、及び、下方から覆うように形成された前方部材、上方部材、及び、下方部材を有し、前記操作部は、前記前方部材に設けられた貫通穴を通って前方へ突出するように形成されたことを特徴とする。
【００１７】
上記課題を解決するための、請求項５記載の発明に係る遊技機は、請求項１、請求項３又は請求項４の何れかに記載の遊技機において、前記ラッチ装置は、軸状に形成されたガイドピンと、前記軸の方向と直交する方向であり、前記リールユニットを収納するときの収納方向に前記ガイドピンの両端部をそれぞれ案内する両側壁と、前記収納方向に対して直交する突出方向に前記両側壁により案内され、前記収納方向及び前記突出方向に対して傾斜する傾斜溝を有する突出片と、該突出片を前記突出方向に付勢する第１の付勢バネと、前記操作部を前方へ付勢する第２の付勢バネを有し、前記突出部は、前記突出片の突出方向の先端縁に形成され、前記操作部は、前記第２の付勢バネの付勢力に抗して前記ガイドピンを後方へ押入し、前記ガイドピンにより前記傾斜溝を押し上げて、前記突出片を前記突出方向とは反対の方向に没入させたことを特徴とする。
【００１９】
上記課題を解決するための、請求項６記載の発明に係る遊技機は、請求項４又は請求項５に記載の遊技機において、前記ラッチ装置は、さらに、前記両側壁の間の隙間に嵌め込まれるように装着されるプレートを有し、前記操作部は、前記プレートの両脇を通って前記ガイドピンを臨む位置に延ばされた先端片を有し、前記ガイドピンを押入する方向に前記両側壁により案内され、前記第２の付勢バネは、前記操作部と前記プレートとの間に圧縮された状態で設けられたことを特徴とする。
【００２１】
上記課題を解決するための、請求項７記載の発明に係る遊技機は、請求項６に記載の遊技機において、前記ガイドピンは、前記操作部の前記先端片に装着され、前記操作部は、前記ガイドピンにより前記押入する方向とは反対方向に抜け止めされたことを特徴とする。
【発明の効果】
【００２７】
以上説明したように、本発明によれば、本体キャビネット当接部又はリールユニット当接部の何れか一方に係合孔を設け、他方には、前記係合孔に向かって突出する突出部を備えたラッチ装置を設けたので、本体キャビネットの内部にリールユニットを収納する際に、前記ラッチ装置によって、本体キャビネットに対するリールユニットの固定が煩わしい操作を行うことなくなされる。
【００２８】
また、前記突出部を収納する機構を前記ラッチ装置に設けたので、本体キャビネットからリールユニットを容易に離脱させることができる。
【００２９】
さらに、前記リールユニットの操作部近傍に握持部を設けたので、当該握持部を用いて本体キャビネットに対するリールユニットの脱着作業を容易に行うことができる。
【発明を実施するための最良の形態】
【００３０】
（第１の実施形態）
以下に、本発明に係る遊技機の第１の実施形態について図面を参照して説明する。図１は、本実施形態における遊技機の構成を示す斜視図である。
【００３１】
図１に示すように、本実施形態の遊技機は、複数の回転リール２０及びこれら複数の回転リール２０を回転可能に支持する回転リール支持部材２１を有するリールユニット２と、正面に形成された開口部内にリールユニット２を収納する筐形の本体キャビネット１とから構成される。
【００３２】
また、リールユニット２を本体キャビネット１内に固定収納するために、リールユニット２を支持する平坦なレール形状の支持部材１１が、本体キャビネット１の開口部内に設置されている。具体的には、リールユニット２の上部に設けられ、複数の回転リール２０が並ぶ方向に突出形成された被支持部２２の下面（後述するリールユニット当接部２ａ）を支持部材１１が支持するように前記開口部の両内側面に設けられている。
【００３３】
このように、被支持部２２の下面を支持する支持部材１１が、前記開口部の両内側面に設けられていると、収納された前記リールユニットの上部又は下部に所定のスペースを確保することができ、そのスペースを有効利用することができる。例えば、前記リールユニットの上部又は下部に確保されたスペースを利用して、前記リールユニットの上部又は下部に設置される主基板等の電子部品の全体が、前記本体キャビネットの開口部側から視認できるように配置することができ、結果として主基板等の電子部品に不正行為が行われたか否かを容易に判定することができる。
【００３４】
また、本体キャビネット１がリールユニット２に当接する本体キャビネット当接部に係合孔１１１が設けられている。前記本体キャビネット当接部は、リールユニット２を直接載置する支持部材１１の上面である支持部材当接部１１ａとなっている。
【００３５】
さらに、本体キャビネット１にリールユニット２を収納したときに、係合孔１１１に向かって突出する突出部（図２（ｂ）参照）を備えたラッチ装置２３が被支持部２２（リールユニット当接部２ａ）に設けられている。
【００３６】
なお、係合孔１１１は、本体キャビネット１にリールユニット２を収納したときに、本体キャビネット１に当接するリールユニット当接部２ａに設けられてもよい。この場合には、本体キャビネット１にリールユニット２を収納したときに、係合孔１１１に向かって前記突出部（図２（ｂ）参照）が突出するようにラッチ装置２３が本体キャビネット１又は支持部材１１に設けられる。
【００３７】
ここで、リールユニット２を支持するために支持部材１１に直接的に支持される被支持部２２は、必ずしもリールユニット２に設けられなければいけないわけではない。本実施形態では、前記開口部内において吊り下げるようにリールユニット２を収納する態様を採用したので、支持部材１１に係合する被支持部２２が設けられただけである。
【００３８】
また、リールユニット２には、本体キャビネット１に収納されたリールユニット２を確実に離脱させるために作業者が握持する握持部２４が設けられる。この握持部２４は、例えば、被支持部２２の前端部で、かつリールユニット２を離脱させる方向に作業者が握りやすい形状で形成されている。
【００３９】
図２（ａ）〜（ｃ）は、本発明に係る遊技機の第１の実施形態における支持部材（図２（ａ））及びラッチ装置（図２（ｂ），（ｃ））の構成を示す斜視図である。
【００４０】
図２（ａ）に示すように、本実施形態の支持部材１１は、支持部材１１自体を本体キャビネット１の開口部内側面に取り付けるための取付け片（側板）と、支持部材１１自体を本体キャビネット１の開口部内裏面に取り付けるための取付け片（裏板）とを備えたレール形状をなしている。
【００４１】
リールユニット２を支持するために、リールユニット２（又は、リールユニット２に設けられた被支持部２２）のリールユニット当接部２ａが直接的に当接する支持部材当接部１１ａには、係合孔１１１が形成されている。
【００４２】
この係合孔１１１は、支持部材当接部１１ａを貫通する貫通孔としてもよい。また、係合孔１１１は、支持部材当接部１１ａにおいて、前記開口部近傍に形成されることが望ましい。この理由については後述するが、当該係合孔１１１に係合する突出部（図２（ｂ）参照）を備えたラッチ装置の設置される位置が、リールユニット２を本体キャビネットに収納する方向（図中「後方向」）のできるだけ後ろ側（すなわち、図中「前方向」）であることが好ましいからである。
【００４３】
次に、図２（ｂ）に示すように、ラッチ装置２３は、互いに直交する方向に摺動可能とされた突出部２３１（図中「上下方向」に摺動）と操作部２３２（図中「前後方向」に摺動）とがラッチ装置本体部２３０に設けられてなる。なお、このラッチ装置２３は、操作部２３２を押入すると、突出部２３１はラッチ装置本体部２３０内に収納される構造となっている。
【００４４】
図２（ｃ）に示すように、ラッチ装置２３の構造は、側面にＶ字状の切り欠き溝が形成された突出片２３１０とプレート２３５と操作部２３２とがラッチ装置本体部２３０に収納されてなる。
【００４５】
突出片２３１０は、一端面がラッチ装置本体部２３０の内面（突出部２３１が形成された側と反対側の面）に対して第１の付勢バネ２３３ａで付勢されている。また、突出片２３１０の他端面には、リールユニット２（図１参照）を本体キャビネット１に収納する方向（図中「後方向」）に傾斜する傾斜面が形成されている。そして、前記切り欠き溝は、突出片２３１０において、第１の付勢バネ２３３ａが付勢している方向（図中「下方向」）に直交し、操作部２３２が設置される方向（図中「前方向」）の面側に形成されている。
【００４６】
また、前記切り欠き溝に係合する棒形状のガイドピン２３４が、ラッチ装置本体部２３０の側面溝２３０ａに嵌合されている。操作部２３２は、ガイドピン２３４を摺動させるように設置されている。プレート２３５は、切り欠き溝側に設置され、第２の付勢バネ２３３ｂを介して摺動する操作部２３２の台座となっている。
【００４７】
このような構造によれば、通常の状態では、第１の付勢バネ２３３ａによって一端面が付勢された突出片２３１０の切り欠き溝が、それに係合したガイドピン２３４を側面溝２３０ａ内で操作部２３２が設置された方向（図中「前方向」）に付勢する。従って、このとき、操作部２３２は、第２の付勢バネ２３３ｂの弾性力が開放される状態にある。
【００４８】
一方、第２の付勢バネ２３３ｂが縮む方向（図中「後方向」）に操作部２３２を押圧すると、それに伴ってガイドピン２３４は、側面溝２３０ａ内で、操作部２３２を押圧する方向（図中「後方向」）に移動される。すると、このガイドピン２３４は、前記切り欠き溝の斜面に係合しながら、突出片２３１０を第１の付勢バネ２３３ａが縮む方向（図中「上方向」）に移動させる。従って、このような動作により、突出片２３１０の突出部２３１がラッチ装置本体部２３０の内部に収納されるように作用する。
【００４９】
図３（ａ）〜（ｃ）は、本発明に係る遊技機の第１の実施形態において回転リールユニットを本体キャビネット内に収納する際の態様を示す側面図である。また、図４（ａ）〜（ｃ）は、本発明に係る遊技機の第１の実施形態における係合孔に対するラッチ装置の動作構成を示す図である。なお、図３と図４との対応関係としては、図３（ｂ）と図４（ａ）とが動作状況として対応し、図３（ｃ）と図４（ｃ）とが動作状況として対応する。
【００５０】
まず、図３（ａ）に示すように、本体キャビネット１の開口部（図１参照）に対し、リールユニット２を収納する準備として、リールユニット当接部２ａが、本体キャビネット１の内面に設置された支持部材１１の支持部材当接部１１ａ上に載るように（リールユニット当接部２ａと支持部材当接部１１ａとが互いに当接するように）して、リールユニット２を位置させる。
【００５１】
次に、図３（ｂ）に示すように、支持部材当接部１１ａの開口部側（図中「前方向」）の端部に、リールユニット当接部２ａの収納方向（図中「後方向」）の端部を当接させた状態で、リールユニット２を本体キャビネット１内に収納する。ここで、図３（ａ）の状態からこのときまでは、図４（ａ）に示すように、突出部２３１は、リールユニット当接部２ａから係合孔１１１が形成された方向、すなわち、係合孔１１１が形成された支持部材当接部１１ａ方向に突出している（図中「下方向」）。
【００５２】
その後、支持部材当接部１１ａにリールユニット当接部２ａが沿うようにリールユニット２を本体キャビネット１の内部に収納させていくと、図４（ｂ）に示すように、支持部材１１における開口部方向（図中「前方向」）の端部が突出部２３１の傾斜面に滑接することによって、突出部２３１がラッチ装置２３内に収納される（実際には、突出片全体がラッチ装置本体部２３０内に収納される）。
【００５３】
そして、その後も引き続き、支持部材当接部１１ａにリールユニット当接部２ａが沿うようにリールユニット２を本体キャビネット１の内部に収納させていくと、図４（ｃ）に示すように、突出部２３１の他端に対する支持部材当接部１１ａの付勢が、係合孔１１１によって解かれると、突出部２３１は、第１の付勢バネ２３３ａの付勢力によって係合孔１１１内に嵌入される。このようにして、リールユニット２（リールユニット当接部２ａ）は、支持部材１１（支持部材当接部１１ａ）、すなわち本体キャビネット１に対して、収納方向において固定されたことになる（図３（ｃ））。
【００５４】
このように、リールユニット２を本体キャビネット１内に収納する際に、互いに当接する支持部材当接部１１ａに係合孔１１１を、リールユニット当接部２ａには、係合孔１１１に向かって突出する突出部２３１を備えたラッチ装置２３を設けたので、リールユニット２を本体キャビネット１内に収納する際に、リールユニット当接部２ａを支持部材当接部１１ａ上で滑動させていくと、支持部材当接部１１ａによって傾斜面が付勢され、ラッチ装置２３内に収納された突出部２３１が係合孔１１１に到ることにより解放され、係合孔１１１に嵌合することでリールユニット２が支持部材１１に対して固定されるので、本体キャビネット１に対するリールユニット２の取り付け工程が容易となる。
【００５５】
一方、リールユニット２を本体キャビネット１から離脱させる際には、ラッチ装置２３の操作部２３２を押圧することにより、係合孔１１１に嵌入している突出部２３１をラッチ装置２３内に収納して、係合孔１１１と突出部２３１との係合関係を解除し、握持部２４を握持して、リールユニット２の収納方向と反対方向（図中「前方向」）に、リールユニット２を引っ張る。ここで、リールユニット２を本体キャビネット１から離脱させるための握持部２４は、係合関係を解除する操作部２３２との連繋操作を有効に行うべく、操作部２３２、すなわちラッチ装置２３の設置位置の近傍に形成されることが望ましい。
【００５６】
また、リールユニット２を本体キャビネット１に収納したり、本体キャビネット１から離脱させたりする際に、作業者が作業しやすいように、操作部２３２が設けられるラッチ装置２３は、できるだけ、リールユニット２（ラッチ装置２３２がリールユニット２に設けられる場合）における収納方向と反対方向（図中「前方向」）の端部に設けられることが望ましい。
【００５７】
ここで、上記実施形態では、支持部材当接部１１ａに係合孔１１１を設けた例を説明したが、他の実施形態として、支持部材１１における、支持部材当接部１１ａ以外の面に係合孔１１１を設けてもよい。この場合、ラッチ装置２３は、係合孔１１１に向かって突出部２３１が突出するようにリールユニット２に設置されるため、例えば、図５（ａ）に示すように、支持部材当接部１１ａに対向する面に係合孔１１１を形成すると、それに伴い、支持部材当接部１１ａを基準にして係合孔１１１が形成された方向（図中「上方向」）に突出部２３１が突出するようにラッチ装置２３が設置される。
【００５８】
また、他の実施形態として、図５（ｂ）に示すように、支持部材１１における、支持部材当接部１１ａ及びそれに対向する面以外の面（支持部材１１における図中「左方向」の面）に係合孔１１１を形成してもよい。この場合でも、支持部材１１における、支持部材当接部１１ａ及びそれに対向する面以外の面（支持部材１１における図中「左方向」の面）に係合孔１１１を形成すると、それに伴い、支持部材当接部１１ａを基準にして係合孔１１１が形成された方向（図中「左方向」）に突出部２３１が突出するようにラッチ装置２３が設置される。
【００５９】
（第２の実施形態）
以下に、本発明に係る遊技機の第２の実施形態について図面を参照して説明する。図６は、本実施形態における遊技機の構成を示す斜視図である。
【００６０】
図６に示すように、本実施形態の遊技機は、複数の回転リール２０及びこれら複数の回転リール２０を回転可能に支持する回転リール支持部材２１を有するリールユニット２と、正面に形成された開口部内にリールユニット２を収納する筐形の本体キャビネット１とから構成される。
【００６１】
また、リールユニット２を本体キャビネット１内に固定収納するために、リールユニット２を支持する平板形状の支持部材１１が、本体キャビネット１の開口部内に設置されている。具体的には、リールユニット２の下部に設けられ、複数の回転リール２０が並ぶ方向に突出形成された被支持部２２の下面（リールユニット当接部２ａ）が支持部材１１によって支持されるように（支持部材１１上にリールユニット２が載置されるように）前記開口部の両内側面に横架されている。
【００６２】
このように、支持部材１１がリールユニット２を載置可能に、前記開口部の両内側面に横架されていると、収納された前記リールユニットの上部に所定のスペースを確保することができ、そのスペースを有効利用することができる。例えば、前記リールユニットの上部に確保されたスペースを利用して、前記リールユニットの上部に設置される主基板等の電子部品の全体が、前記本体キャビネットの開口部側から視認できるように配置することができ、結果として主基板等の電子部品に不正行為が行われたか否かを容易に判定することができる。
【００６３】
また、リールユニット２が載置される支持部材１１、具体的には、リールユニット当接部２ａが当接する支持部材当接部１１ａには係合孔１１１が設けられている。
【００６４】
さらに、本体キャビネット１にリールユニット２を収納したときに、係合孔１１１に向かって突出する突出部（図２（ｂ）参照）を備えたラッチ装置２３が被支持部２２（リールユニット当接部２ａ）に設けられている。
【００６５】
なお、係合孔１１１は、本体キャビネット１にリールユニット２を収納したときに、本体キャビネット１に当接するリールユニット当接部２ａに設けられてもよい。この場合には、本体キャビネット１にリールユニット２を収納したときに、係合孔１１１に向かって突出部（図２（ｂ）参照）が突出するようにラッチ装置２３が本体キャビネット１又は支持部材１１に設けられる。
【００６６】
また、リールユニット２には、本体キャビネット１に収納されたリールユニット２を確実に離脱させるために作業者が握持する握持部２４が設けられる。この握持部２４は、例えば、被支持部２２の前端部で、かつリールユニット２を離脱させる方向に作業者が握りやすい形状で形成されている。
【００６７】
図７（ａ）〜（ｃ）は、本発明に係る遊技機の第２の実施形態において回転リールユニットを本体キャビネット内に収納する際の態様を示す側面図である。ここで、本発明に係る遊技機の第２の実施形態における係合孔に対するラッチ装置の動作構成を示す図は、前述の第１の実施形態と同様に、図４（ａ）〜（ｃ）を参照できる。従って、図７と図４との対応関係としては、図７（ｂ）と図４（ａ）とが動作状況として対応し、図７（ｃ）と図４（ｃ）とが動作状況として対応する。
【００６８】
まず、図７（ａ）に示すように、本体キャビネット１の開口部（図１参照）に対し、リールユニット２を収納する準備として、本体キャビネット１に横架された支持部材１１上にリールユニット２が載置されるように（リールユニット当接部２ａと支持部材当接部１１ａとが互いに当接するように）して、リールユニット２を位置させる。
【００６９】
次に、図７（ｂ）に示すように、支持部材当接部１１ａの開口部側（図中「前方向」）の端部に、リールユニット当接部２ａの収納方向（図中「後方向」）の端部を当接させた状態で、リールユニット２を本体キャビネット１内に収納する。ここで、図７（ａ）の状態からこのときまでは、図４（ａ）に示すように、突出部２３１は、リールユニット当接部２ａから係合孔１１１が形成された方向、すなわち、係合孔１１１が形成された支持部材当接部１１ａ方向に突出している（図中「下方向」）。
【００７０】
その後、支持部材当接部１１ａにリールユニット当接部２ａが沿うようにリールユニット２を本体キャビネット１の内部に収納させていくと、図４（ｂ）に示すように、支持部材１１における開口部方向（図中「前方向」）の端部が突出部２３１の傾斜面に滑接することによって、突出部２３１がラッチ装置２３内に収納される（実際には、突出片全体がラッチ装置本体部２３０内に収納される）。
【００７１】
そして、その後も引き続き、支持部材当接部１１ａにリールユニット当接部２ａが沿うようにリールユニット２を本体キャビネット１の内部に収納させていくと、図４（ｃ）に示すように、突出部２３１の他端に対する支持部材当接部１１ａの付勢が、係合孔１１１によって解かれると、突出部２３１は、第１の付勢バネ２３３ａの付勢力によって係合孔１１１内に嵌入される。このようにして、リールユニット２（リールユニット当接部２ａ）は、支持部材１１（支持部材当接部１１ａ）、すなわち本体キャビネット１に対して、収納方向において固定されたことになる（図７（ｃ））。
【００７２】
次に、上記実施形態から把握できる技術的思想について以下に追記する。
【００７３】
（イ）  前記リールユニット支持部材が前記リールユニットを載置し、前記ラッチ装置が前記回転リール支持部材の下部に設けられたことを特徴とする請求項２に記載の遊技機。
【００７４】
（ロ）  複数の回転リール及びこれら複数の回転リールを回転可能に支持する回転リール支持部材を有するリールユニットと、正面に形成された開口部内に前記リールユニットを支持するリールユニット支持部材が設けられ、係るリールユニット支持部材に前記リールユニットの被支持部材を嵌合させて、前記リールユニットを収納する筐形の本体キャビネットとを有する遊技機であって、前記リールユニット支持部材に係合孔が設けられ、
前記リールユニット支持部材に前記被支持部材を嵌合させてリールユニットを収納させたときに、前記係合孔に向かって突出する突出部を備えたラッチ装置が前記被支持部材に設けられたことを特徴とする遊技機。
【００７５】
（ハ）  複数の回転リール及びこれら複数の回転リールを回転可能に支持する回転リール支持部材を有するリールユニットと、正面に形成された開口部内に前記リールユニットを支持するリールユニット支持部材が設けられ、係るリールユニット支持部材に前記リールユニットを載置して、前記リールユニットを収納する筐形の本体キャビネットとを有する遊技機であって、前記リールユニット支持部材に係合孔が設けられ、前記リールユニット支持部材に前記リールユニットを載置させたときに、係る係合孔に向かって突出する突出部を備えたラッチ装置が前記リールユニットに設けられたことを特徴とする遊技機。
【００７６】
（ニ）  前記ラッチ装置は、前記リールユニットを前記本体キャビネットから離脱させる方向に前記操作部を押すことによって前記突出部が当該ラッチ装置の内部に収納される構造を有することを特徴とする請求項６に記載の遊技機。
【図面の簡単な説明】
【００７７】
【図１】本発明に係る遊技機の第１の実施形態における構成を示す斜視図。
【図２】本発明に係る遊技機の第１の実施形態における支持部材及びラッチ装置の構成を示す斜視図。
【図３】本発明に係る遊技機の第１の実施形態において回転リールユニットを本体キャビネット内に収納する際の態様を示す側面図。
【図４】本発明に係る遊技機の第１の実施形態及び第２の実施形態における係合孔に対するラッチ装置の動作構成を示す図。
【図５】本発明に係る遊技機の第１の実施形態における係合孔に対するラッチ装置の他の動作構成を示す図。
【図６】本発明に係る遊技機の第２の実施形態における構成を示す斜視図。
【図７】本発明に係る遊技機の第２の実施形態において回転リールユニットを本体キャビネット内に収納する際の態様を示す側面図。
【符号の説明】
【００７８】
１  本体キャビネット
２  リールユニット
２ａリールユニット当接部
１１  支持部材
１１ａ  支持部材当接部
１１１  係合孔
２０  回転リール
２１  回転リール支持部材
２２  被支持部
２３  ラッチ装置
２３０  ラッチ装置本体部
２３０ａ  側面溝
２３１  突出部
２３１０  突出片
２３２  操作部
２３３ａ  第１の付勢バネ
２３３ｂ  第２の付勢バネ
２３４  ガイドピン
２３５  プレート
２４  握持部
【図１】
0004446819.tif 000002
【図２】
0004446819.tif 000003
【図３】
0004446819.tif 000004
【図４】
0004446819.tif 000005
【図５】
0004446819.tif 000006
【図６】
0004446819.tif 000007
【図７】
0004446819.tif 000008